(57)【要約】【課題】コストを低減することが目的とされる。【解決手段】開閉器は、第１乃至第３の可動接点２１１〜２３１と、第１乃至第３の固定接点２１２〜２３２と、従動部１１と、第１乃至第３の圧縮バネ３０１〜３０３とを備える。第１乃至第３の可動接点２１１〜２３１はそれぞれ、第１乃至第３の固定接点２１２〜２３２に所定の方向９１から離着する。従動部１１は、第１乃至第３の可動接点２１１〜２３１に対して、第１乃至第３の固定接点２１２〜２３２とは反対側に設けられ、第１乃至第３の可動接点２１１〜２３１側に第１乃至第３の面１１ａ〜１１ｃを有する。第１の面１１ａと、第２及び第３の面１１ｂ，１１ｃとの間には段差１１１が設けられている。第１乃至第３の圧縮バネ３０１〜３０３はそれぞれ、所定の方向９１に沿って延び、第１乃至第３の可動接点２１１〜２３１と従動部１１とを接続する。【選択図】図１
2008177080.tif 000002
【特許請求の範囲】
【請求項１】
第１及び第２の固定接点（２１２，２２２）と、
前記第１及び前記第２の固定接点のそれぞれに所定の方向（９１）から離着する第１及び第２の可動接点（２１１，２２１）と、
前記第１及び前記第２の可動接点に対して前記第１及び前記第２の固定接点とは反対側に設けられる従動部（１１）と、
前記従動部と、前記第１及び第２の可動接点のそれぞれとを接続する第１及び第２の圧縮バネ（３０１，３０２）と
を備え、前記第１及び前記第２の可動接点のいずれもが、それぞれ前記第１及び前記第２の固定接点に接触した場合に電流が流れる開閉器であって、
前記従動部は前記第１及び前記第２の可動接点側に、前記第１の圧縮バネが接続される第１の面（１１ａ）と、前記第２の圧縮バネが接続される第２の面（１１ｂ）とを有し、
前記所定の方向において前記第１の面と前記第２の面との間に段差が設けられている、開閉器。
【請求項２】
前記第１の面（１１ａ）は、前記第２の面（１１ｂ）に対して前記所定の方向（９１）とは反対側へと退き、
前記第２の可動接点（２２１）の前記第２の固定接点（２２２）との接触面積（Ｓ２）は、前記第１の可動接点（２１１）の前記第１の固定接点（２１２）との接触面積（Ｓ１）よりも大きい、請求項１記載の開閉器。
【請求項３】
前記第１の圧縮バネ（３０１）と前記第２の圧縮バネ（３０２）とは前記所定の方向（９１）についての長さ（Ｌ１，Ｌ２）が略同一である、請求項１または請求項２記載の開閉器。
【請求項４】
前記第１及び前記第２の固定接点（２１２，２２２）は、前記所定の方向（９１）について略同一の位置にあり、
前記第１の面（１１ａ）は、前記第２の可動接点（２２１）の前記所定の方向についての厚み（ｔ２）から前記第１の可動接点（２１１）の前記所定の方向についての厚み（ｔ１）を差し引いた長さより大きい距離だけ、前記第２の面（１１ｂ）に対して前記所定の方向とは反対側へと退いている、請求項３記載の開閉器。
【請求項５】
前記第２の可動接点（２２１，２３１）と、前記第２の固定接点（２２２，２３２）と、前記第２の圧縮バネ（３０２，３０３）とがそれぞれ二つずつ設けられている、請求項１乃至請求項４のいずれか一つに記載の開閉器。
【発明の詳細な説明】
【技術分野】
【０００１】
本発明は開閉器に関し、例えば電磁接触器に適用することができる。
【背景技術】
【０００２】
従来から、複数の接点を有する電磁接触器において、一の接点が閉じるタイミングを、他の接点が閉じるタイミングよりも早める技術が提案されている。かかる技術によれば、接点を閉じたときに、接点が融着することが防止できる。
【０００３】
下掲の特許文献１では、接点ごとに設けられた圧縮バネのうち、閉じるタイミングの早い一の接点に設けられた圧縮バネの長さを、他の接点に設けられた圧縮バネの長さよりも長くすることで、当該一の接点に属する可動接点を、当該他の接点に属する可動接点よりも、固定接点に近い位置に配置している。
【０００４】
【特許文献１】特開昭５８−８２４１９号公報
【発明の開示】
【発明が解決しようとする課題】
【０００５】
しかし、一の接点と他の接点とで、それらに設けられる圧縮バネの長さが異なるので、異なる仕様の部品が必要であった。このため、コストが増大していた。
【０００６】
本発明は、上述した事情に鑑みてなされたものであり、コストを低減することが目的とされる。
【課題を解決するための手段】
【０００７】
この発明の請求項１にかかる開閉器は、第１及び第２の固定接点（２１２，２２２）と、前記第１及び前記第２の固定接点のそれぞれに所定の方向（９１）から離着する第１及び第２の可動接点（２１１，２２１）と、前記第１及び前記第２の可動接点に対して前記第１及び前記第２の固定接点とは反対側に設けられる従動部（１１）と、前記従動部と、前記第１及び第２の可動接点のそれぞれとを接続する第１及び第２の圧縮バネ（３０１，３０２）とを備え、前記第１及び前記第２の可動接点のいずれもが、それぞれ前記第１及び前記第２の固定接点に接触した場合に電流が流れる開閉器であって、前記従動部は前記第１及び前記第２の可動接点側に、前記第１の圧縮バネが接続される第１の面（１１ａ）と、前記第２の圧縮バネが接続される第２の面（１１ｂ）とを有し、前記所定の方向において前記第１の面と前記第２の面との間に段差が設けられている。
【０００８】
この発明の請求項２にかかる開閉器は、請求項１記載の開閉器であって、前記第１の面（１１ａ）は、前記第２の面（１１ｂ）に対して前記所定の方向（９１）とは反対側へと退き、前記第２の可動接点（２２１）の前記第２の固定接点（２２２）との接触面積（Ｓ２）は、前記第１の可動接点（２１１）の前記第１の固定接点（２１２）との接触面積（Ｓ１）よりも大きい。
【０００９】
この発明の請求項３にかかる開閉器は、請求項１または請求項２記載の開閉器であって、前記第１の圧縮バネ（３０１）と前記第２の圧縮バネ（３０２）とは前記所定の方向（９１）についての長さ（Ｌ１，Ｌ２）が略同一である。
【００１０】
この発明の請求項４にかかる開閉器は、請求項３記載の開閉器であって、前記第１及び前記第２の固定接点（２１２，２２２）は、前記所定の方向（９１）について略同一の位置にあり、前記第１の面（１１ａ）は、前記第２の可動接点（２２１）の前記所定の方向についての厚み（ｔ２）から前記第１の可動接点（２１１）の前記所定の方向についての厚み（ｔ１）を差し引いた長さより大きい距離だけ、前記第２の面（１１ｂ）に対して前記所定の方向とは反対側へと退いている。
【００１１】
この発明の請求項５にかかる開閉器は、請求項１乃至請求項４のいずれか一つに記載の開閉器であって、前記第２の可動接点（２２１，２３１）と、前記第２の固定接点（２２２，２３２）と、前記第２の圧縮バネ（３０２，３０３）とがそれぞれ二つずつ設けられている。
【発明の効果】
【００１２】
この発明の請求項１にかかる開閉器によれば、所定の方向において第１の面と第２の面との間に段差が設けられているので、第１及び第２の可動接点のいずれもが第１及び第２の固定接点と非接触である状態から、従動部を第１及び第２の固定接点側へと移動させた場合に、第１及び第２の可動接点のいずれか一方が他方よりも早く固定接点に接触する。当該一方の可動接点が固定接点に接触した状態では、当該他方の可動接点は固定接点に非接触であるため、当該一方の可動接点とこれに接触した固定接点との間には電流が流れない。よって、当該一方の可動接点と当該固定接点との融着が防止される。しかも、第１の面と第２の面との間に段差を設けることで、第１及び第２の圧縮バネに共通の仕様の部品を用いることができ、以ってコストが低減される。
【００１３】
この発明の請求項２にかかる開閉器によれば、第１の可動接点と第１の固定接点とだけが接触した状態から、更に従動部を第１及び第２の固定接点側へと移動させることで、第２の可動接点が第２の固定接点に接触し、電流が流れる。このとき、第２の可動接点の第２の固定接点との接触面積が、第１の可動接点の第１の固定接点との接触面積よりも大きいので、第２の可動接点と第２の固定接点の間に過電流が生じても、接触面での電流密度を小さくすることができ、以って第２の可動接点と第２の固定接点との融着が防止できる。
【００１４】
この発明の請求項３にかかる開閉器によれば、第２の可動接点と第２の固定接点とが接触するよりも早く、第１の可動接点と第１の固定接点とを接触させることができる。しかも、第１及び第２の圧縮バネは長さが同じであるので、第１の圧縮バネと第２の圧縮バネには共通の仕様の部品が採用でき、以ってコストが低減される。
【００１５】
この発明の請求項４にかかる開閉器によれば、精度良く、第２の可動接点と第２の固定接点とが接触するよりも早いタイミングで、第１の可動接点と第１の固定接点とを接触させることが精度良く行える。
【００１６】
この発明の請求項５にかかる開閉器によれば、３相電流用の開閉器に適用できる。
【発明を実施するための最良の形態】
【００１７】
図１乃至図３は、本発明の実施の形態にかかる開閉器を概念的に示す。図４は、図１に示される位置Ａ−Ａでの開閉器の断面を示す。図１乃至図３は、開閉器が開いた状態から、開閉器が閉じられまでの状態を順に示す。
【００１８】
開閉器は、第１乃至第３の接点２１〜２３と、従動部１１と、第１乃至第３の圧縮バネ３０１〜３０３とを備える。当該開閉器は、例えば電源と当該電源の電圧を供給する装置との間に接続され、第１乃至第３の接点２１〜２３の少なくともいずれか二つが閉じられた場合に、電源と装置との間に電流を流す。なお、当該開閉器は、３相電流用の開閉器に適用できる。
【００１９】
第１の接点２１は、第１の可動接点２１１と第１の固定接点２１２とを有する。第２の接点２２は、第２の可動接点２２１と第２の固定接点２２２とを有する。第３の接点２３は、第３の可動接点２３１と第３の固定接点２３２とを有する。
【００２０】
第１の固定接点２１２は、二つの接触子２１２１を対で有する（図４）。当該接触子２１２１は互いに電気的に離間している。第２及び第３の固定接点２２２，２３２の各々についても、第１の固定接点２１２と同様に、接触子を対で有する。なお、第１乃至第３の固定接点２１２〜２３２は、例えば取付台２０１にネジ２０２によって固定される（図４）。
【００２１】
第１乃至第３の固定接点２１２〜２３２は、所定の方向９１について略同一の位置に設けられている。
【００２２】
第１の可動接点２１１は、二つの接触子２１１１を対で有する（図４）。当該接触子２１１１は互いに電気的に接続されている。第１の可動接点２１１に属する二つの接触子２１１１のそれぞれは、第１の固定接点２１２に属する二つの接触子２１２１に所定の方向９１から離着する。すなわち、第１の可動接点２１１は、第１の固定接点２１２に所定の方向９１から離着する。
【００２３】
第１の可動接点２１１が第１の固定接点２１２に接触した場合、すなわち接点２１が閉じた場合には、第１の固定接点２１２に属する二つ接触子２１２１の間が、第１の可動接点２１１を介して電気的に接続される。
【００２４】
第２及び第３の可動接点２２１，２３１のそれぞれについても、第１の可動接点２１１と同様に接触子を有し、第２及び第３の固定接点２２２，２３２に所定の方向９１から離着する。
【００２５】
従動部１１は、第１乃至第３の可動接点２１１〜２３１に対して、第１乃至第３の固定接点２１２〜２３２とは反対側に設けられ、第１乃至第３の可動接点２１１〜２３１側に第１乃至第３の面１１ａ〜１１ｃを有する。
【００２６】
第１の面１１ａと、第２及び第３の面１１ｂ，１１ｃとの間には段差１１１が設けられている。具体的には、第１の面１１ａは、第２及び第３の面１１ｂ，１１ｃに対して所定の方向９１とは反対側へと退いている。
【００２７】
第１の圧縮バネ３０１は、所定の方向９１に沿って延び、第１の可動接点２１１と従動部１１とを接続する。同様に、第２及び第３の圧縮バネ３０２，３０３はそれぞれ、所定の方向９１に沿って延び、第２及び第３の可動接点２２１，２３１と従動部１１とを接続する。
【００２８】
具体的には、第１の圧縮バネ３０１については、その一端３０１１が第１の可動接点２１１に、他端３０１２が従動部１１の第１の面１１ａに、それぞれ接続される。第２の圧縮バネ３０２については、その一端３０２１が第２の可動接点２２１に、他端３０２２が従動部１１の第２の面１１ｂに、それぞれ接続される。第３の圧縮バネ３０３については、その一端３０３１が第３の可動接点２３１に、他端３０３２が従動部１１の第３の面１１ｃに、それぞれ接続される。
【００２９】
上述した開閉器によれば、第１乃至第３の接点２１〜２３のいずれもが開いた状態から、従動部１１を第１乃至第３の固定接点２１２〜２３２側へと移動させた場合に、第２及び第３の接点２２，２３が閉じるよりも早く、第１の接点２１が閉じる。第１の接点２１だけが閉じた状態では、第１の可動接点２１１とこれに接触した第１の固定接点２１２との間には電流が流れない。なぜなら、第２及び第３の接点２２，２３が開いたままであるからである。よって、第１の可動接点２１１と第１の固定接点２１２との融着が防止される。
【００３０】
第１の接点２１だけが閉じた状態から、更に従動部１１を第１乃至第３の固定接点２１２〜２３２側へと移動させることで、第２及び第３の接点２２，２３も閉じて電流が流れる。第２の接点２２が閉じる際に、第２の可動接点２２１と第２の固定接点２２２との間には過電流が生じやすく、これらが融着するおそれがある。同様に、第３の接点２３が閉じる際にも、第３の可動接点２３１と第３の固定接点２３２とが融着するおそれがある。
【００３１】
かかる融着を防止するという観点からは、第２の可動接点２２１の第２の固定接点２２２との接触面２２１ａの面積である接触面積Ｓ２が、第１の可動接点２１１の第１の固定接点２１２との接触面２１１ａの面積である接触面積Ｓ１よりも大きいことが望ましい。同様に、第３の可動接点２３１の第３の固定接点２３２との接触面２３１ａの面積である接触面積Ｓ３が、接触面積Ｓ１よりも大きいことが望ましい。なぜなら、上記過電流が発生しても、接触面２２１ａ，２３１ａでの電流密度を小さくすることができるからである。
【００３２】
第１乃至第３の圧縮バネ３０１〜３０３の所定の方向９１についての長さＬ１〜Ｌ３は互いに、略同一であることが望ましい。なぜなら、第１乃至第３の圧縮バネ３０１〜３０３に共通の仕様の部品が採用でき、以ってコストが低減できるからである。
【００３３】
しかも、長さＬ１〜Ｌ３が略同一であれば、第２及び第３の接点２２，２３が閉じるよりも早く、第１の接点２１を閉じることができる。なぜなら、第１の面１１ａが第２及び第３の面１１ｂ，１１ｃに対して所定の方向９１とは反対側へと退いているので、長さＬ１〜Ｌ３が略同一であれば、接触面２１１ａを接触面２２１ａ，２３１ａよりも所定の方向９１とは反対側に位置させやすいからである。
【００３４】
第１乃至第３の圧縮バネ３０１〜３０３のそれぞれの長さＬ１〜Ｌ３が略同一である場合において、第２及び第３の接点２２，２３が閉じるよりも早いタイミングで、第１の接点２１を閉じることを精度良く行うためには、以下の態様が特に望ましい。
【００３５】
すなわち、第２の可動接点２２１（または第３の可動接点２３１）の所定の方向９１についての厚みｔ２（または厚みｔ３）から、第１の可動接点２１１の所定の方向９１についての厚みｔ１を差し引いた長さより大きい距離だけ、第１の面１１ａは、第２の面１１ｂに対して所定の方向９１とは反対側へと退く。
【００３６】
上述した開閉器において、第３の接点２３はなくても良い。かかる開閉器は、単相電流用の開閉器に適用できる。
【００３７】
また、上述した開閉器では、第１乃至第３の固定接点２１２〜２３２は、所定の方向９１について略同一の位置に設けられているが、異なる位置に設けても良い。ただし、第２及び第３の接点２２，２３が閉じるよりも早いタイミングで、第１の接点２１を閉じるために、段差１１１の大きさや、第１乃至第３の可動接点２１１〜２３１のそれぞれの厚みｔ１〜ｔ３を調節する必要がある。
【図面の簡単な説明】
【００３８】
【図１】本発明の実施の形態にかかる開閉器を概念的に示す図である。
【図２】本発明の実施の形態にかかる開閉器を概念的に示す図である。
【図３】本発明の実施の形態にかかる開閉器を概念的に示す図である。
【図４】図１に示される位置Ａ−Ａでの開閉器の断面を示す図である。
【符号の説明】
【００３９】
１１  従動部
１１ａ〜１１ｃ  第１乃至第３の面
９１  所定の方向
２１１〜２３１  第１乃至第３の可動接点
２１２〜２３２  第１乃至第３の固定接点
３０１〜３０３  第１乃至第３の圧縮バネ
Ｓ１〜Ｓ３  接触面積
Ｌ１〜Ｌ３  長さ
ｔ１〜ｔ３  厚み
【図１】
2008177080.tif 000003
【図２】
2008177080.tif 000004
【図３】
2008177080.tif 000005
【図４】
2008177080.tif 000006